(57)【特許請求の範囲】
【請求項１】
左右方向を向く横杆における上下方向を向く基片の中位部に、一側方に向かって延出する中間段部を設け、前記中間段部の上面に係合手段を設け、かつ上下方向の寸法を前記横杆における上端から中間段部までの寸法とほぼ同一とした前後方向を向く連結杆の端部の上下いずれかの角部に凹入段部を設け、前記連結杆を、上下を反転させて、その端部を前記係合手段に係合させて前記中間段部に載置することにより、連結杆の上面と横杆の上面との高さを異ならせて、横杆と連結杆とを連結しうるようにしたことを特徴とする杆材の連結構造。
【請求項２】
係合手段が、連結杆の端部に下向きに突設した係止片と、横杆の中間段部の上面に穿設され、前記係止片が嵌合されるようにした係止孔とを備えている請求項１記載の杆材の連結構造。
【請求項３】
係止片の側縁に、係止孔の縁に係合して、連結杆の上方への移動を阻止する爪を設けた請求項２記載の杆材の連結構造。
【請求項４】
係合手段が、横杆の中間段部に前後方向に向けて切設され、かつ連結杆の端部における下向きとした凹入段部と係合するようにした長溝を備えている請求項１〜３のいずれかに記載の杆材の連結構造。
【請求項５】
横杆の中間段部の上面に受け金具を着脱自在に設け、かつ前記受け金具の上面に、横杆の端部を載置し、受け金具杆の上面と横杆とに相互係合手段を設けた請求項１〜４のいずれかに記載の杆材の連結構造。
【発明の詳細な説明】
【０００１】
【発明の属する技術分野】
本発明は、重量物を載置するための棚等における杆材の連結構造に関する。
【０００２】
【従来の技術】
通常、このような棚の支柱に掛け渡された横杆の上面と、前後の横杆を連結する連結杆の上面とは同一水平面内にあり、この面上にパレット等を載置するようになっている。
【０００３】
【発明が解決しようとする課題】
しかし、連結杆に交差する方向にボード等を橋架して荷物だけを載置して使用する場合、横杆の上面が連結杆の上面より高いことが、ボードの移動や落下の防止のために望ましい。
このため、実公平６−８６１７号公報に示されているような、両端部の上部が斜切されている横補強材すなわち連結杆を天地逆に連結して連結杆の上面の高さ位置を変更する方法があるが、ボルト、ナットによる連結での着脱は、手間がかかるばかりでなく、左右枠材すなわち横杆の上面と横補強材すなわち連結杆の上面との位置関係が固定されるという問題点があった。
【０００４】
本発明は、このような従来の問題点に鑑み、簡易な手段により、棚の横杆の上面と連結杆の上面との高さ関係を変更しうるようにした杆材の連結構造を提供することを目的としている。
【０００５】
【課題を解決するための手段】
本発明によると、上記課題は、次のようにして解決される。
（１）  左右方向を向く横杆における上下方向を向く基片の中位部に、一側方に向かって延出する中間段部を設け、前記中間段部の上面に係合手段を設け、かつ上下方向の寸法を前記横杆における上端から中間段部までの寸法とほぼ同一とした前後方向を向く連結杆の端部の上下いずれかの角部に凹入段部を設け、前記連結杆を、上下を反転させて、その端部を前記係合手段に係合させて前記中間段部に載置することにより、連結杆の上面と横杆の上面との高さを異ならせて、横杆と連結杆とを連結する。
【０００６】
（２）  上記（１）項において、係合手段が、連結杆の端部に下向きに突設した係止片と、横杆の中間段部の上面に穿設され、前記係止片が嵌合されるようにした係止孔とを備えるものとする。
【０００７】
（３）  上記（２）項において、係止片の側縁に、係止孔の縁に係合して、連結杆の上方への移動を阻止する爪を設ける。
【０００８】
（４）  上記（１）〜（３）項のいずれかにおいて、係合手段が、横杆の中間段部に前後方向に向けて切設され、かつ連結杆の端部における下向きとした凹入段部と係合するようにした長溝を備えるものとする。
【０００９】
（５）  上記（１）〜（４）項のいずれかにおいて、横杆の中間段部の上面に受け金具を着脱自在に設け、かつ前記受け金具の上面に、横杆の端部を載置し、受け金具杆の上面と横杆とに相互係合手段を設ける。
【００１０】
【発明の実施の形態】
図１〜図８は、本発明をパレット等が載置される棚に適用した一実施形態を示す。
【００１１】
棚（１）は、図１に示すように、四隅に立設された４本の支柱（２）と、前後の支柱（２）（２）間に掛け渡された端部杆材（３）と、左右の支柱（２）（２）の上下位置に架設された左右方向を向く前後１対の横杆（４）（４）と、前後の横杆（４）（４）の中間部に架設された前後方向を向く連結杆（５）とを備えている。各横杆（４）の両端部にはブラケット（６）が取り付けられており、このブラケット（６）のフック（６ａ）を支柱（２）に引っかけることにより、横杆（４）は支柱（２）に固定されている。
【００１２】
横杆（４）は、図２から明らかなように、左右方向に長い１枚の鋼板を、後述するように複雑に、長手方向に折り曲げて形成したものである。
【００１３】
すなわち、前方の横杆（４）は、図２、図３及び図４に示すように、まず、第１の垂直基片（７）と、この第１の垂直基片（７）の上端から前上方に向かって傾斜するように延出する傾斜片（８）と、傾斜片（８）の上端に連設され、後方に向かって水平に延出する上片（９）と、上片（９）の後端に連設され、垂直基片（７）と傾斜片（８）との連設部に向かって延出する比較的短い折り返し片（１０）とを備えている。
【００１４】
第１の垂直基片（７）の下端には、後方に水平に延出する中間水平片（１１）と、中間水平片（１１）の後端から前下方に向かって傾斜するように延出する傾斜片（１２）とからなる中間段部（Ａ）が設けられている。傾斜片（１２）の下端には、第１の垂直基片（７）の直下に位置する第２の垂直基片（１３）が連設されており、この第２の垂直基片（１３）の下端には、前下方に向かって傾斜するように延出する傾斜片（１４）と、傾斜片（１４）の下端に連設され、後方に向かって水平に延出する下片（１５）と、下片（１５）の後端に連設され、第２の垂直基片（１３）と傾斜片（１４）との連設部に向かって延出する比較的短い折り返し片（１６）とが順次連設されている。
【００１５】
上部の傾斜片（８）と上片（９）と折り返し片（１０）、及び下部の傾斜片（１４）と下片（１５）と折り返し片（１６）は、上下対称のほぼ二等辺三角形状をなしている。
すなわち、上片（９）と折り返し片（１０）とのなす角度は、上片（９）と傾斜片（８）とのなす角度と等しい鋭角をなしている。下部の傾斜片（１４）、下片（１５）及び折り返し片（１６）についても同様である。
【００１６】
図２及び図３によく示されているように、中間水平片（１１）の上面には、長手方向に細長く、対をなす係止孔（係合手段）（１７）が、複数組穿設されている。これは、後述する連結杆（５）の端部の係止片（１８）を受け入れる孔である。
【００１７】
中間水平片（１１）の上面には、前後方向に延び、かつ対をなす長溝（係合手段）（１９）が複数組形成されている。これは、後述する連結杆（５）の端部の凹入段部（２０）と係合する溝である。
【００１８】
さらに、図２に示すように、横杆（４）の第１の垂直基片（７）には、名札取り付けのボルトのための貫通孔（２１）が複数個穿設されている。
【００１９】
横杆（４）の両端には、フック（６ａ）付きのブラケット（６）が、例えば溶接により取り付けられており、このフック（６ａ）を、支柱（２）の前面（後方支柱（２）は後面）に穿設したスリット（図示してない）に係止することにより、横杆（４）は支柱（２）に取り付けられている。
【００２０】
後方の横杆（４）も、上述の前方の横杆（４）と前後対称の構造としてある（図示略）。
【００２１】
前後方向を向く連結杆（５）は、上下方向の寸法を、横杆（４）における上端から中間水平片（１１）までの距離とほぼ同一とし、かつ図５に示すように、下面の中央が開口する矩形断面の形状の鋼板製のもので、左右両端の下面開口の両脇には、左右方向に平たい係止片（１８）が１対形成されている。この係止片（１８）は、縁部に外向きの浅い爪（１８ａ）を備えている。
【００２２】
図４に示すように、連結杆（５）の両端は、係止片（１８）とは反対側が段状に切り落とされており、連結杆（５）の側壁によって、切断端部が水平に延びる凹入段部（２０）が形成されている。
【００２３】
図７は、横杆（４）の中間水平片（１１）の係止孔（１７）に係止させる受け金具（２２）を示す。受け金具（２２）は、鋼板を折り曲げて形成したコ字形断面の部材で、下向きに突出する１対の係止片（２３）がコ字の片側の下端に設けられ、かつ上面に横杆（４）と交差する方向、すなわち前後方向を向く１対の長溝（２４）が形成されている。
係止片（２３）は、前述の連結杆（５）の係止片（１８）と同じであって、縁部に外向きの浅い爪（２３ａ）を有し、図８に示すように横杆（４）の中間水平片（１１）の係止孔（１７）に係合する。爪（２３ａ）の存在は、受け金具（２２）の保管にあたっても、使用してない係止孔（１７）に係止させておくとよいので好都合である。
受け金具（２２）の上面には、横杆（４）の中間水平片（１１）の長溝（１９）と同様の長溝（２４）が形成されている。
【００２４】
上述のような横杆（４）に連結杆（５）を連結するには、次の３つの場合がある。
【００２５】
第１には、図４に示すように、横杆（４）の中間水平片（１１）の上面の係止孔（１７）に、連結杆（５）の下端の係止片（１８）を嵌合して結合する。この場合、係止片（１８）は、係止孔（１７）に規制され、図４において左右方向に移動できず、また、係止片（１８）の浅い爪（１８ａ）が係止孔（１７）の外端に係合して、上方への移動が阻止される。
このように結合した場合、連結杆（５）の上面は、横杆（４）の上片（９）の上面と面一となる。換言すれば、横杆（４）の中間水平片（１１）の上面と上片（９）の上面とは、丁度連結杆（５）の高さ寸法と合致させてある。
【００２６】
第２には、図６に示すように、連結杆（５）を天地逆にして、その凹入段部（２０）を、横杆（４）の中間水平片（１１）の上面の長溝（１９）（図２及び図３）に嵌合させる。このようにすれば、連結杆（５）は、左右方向に移動不能に係止され、連結杆（５）の上面は横杆（４）の上面よりも低くなり、載置されたボード（２５）が横杆（４）により止められるので、落下することがなくなる。
【００２７】
第３には、図８に示すように、受け金具（２２）を、その下端の係止片（２３）を横杆（４）の中間水平片（１１）の上面に形成された係止孔（１７）に係止させることにより、横杆（４）に取り付ける。この際、係止片（２３）の外向きの浅い爪（２３ａ）と係止孔（１７）の外端とが係合するので、受け金具（２２）は、横杆（４）から抜け落ちることはない。
ついで連結杆（５）を上下逆にして、その凹入段部（２０）を、受け金具（２２）の上面の長溝（２４）に嵌合させる。このようにすれば、連結杆（５）は左右方向に移動不能に係止され、連結杆（５）の上面は、図６の場合よりも受け金具（２２）の高さだけ高いが、なお横杆（４）の上面より低い高さ位置で連結される。
【００２８】
【発明の効果】
本発明によれば、連結杆の天地を反転させて横杆に装着するだけで、連結杆の上面と横杆の上面との高さ関係を簡単に変更することができ、また、横杆の中間高さ位置に形成された中間段部により連結杆の端部を支持し、かつ係合手段により、連結杆の移動を阻止するので、荷重の伝達に無理がなく、しかもボルトナット等を使用しない連結であるので、取り付けが簡単である。
【００２９】
請求項２記載の発明のようにすると、係止孔と係止片との嵌合により、連結杆を前後、左右に動かないようにしっかりと結合させることができる。
【００３０】
請求項３記載の発明のようにすると、連結杆を横杆から上方に外れないのようにしっかりと結合させることができる。
【００３１】
請求項４記載の発明のようにすると、連結杆を上下反転させて横杆に装着した際にも、連結杆が妄りに移動しないようにすることができる。
【００３２】
請求項５記載の発明のようにすると、同じ連結杆を用いて、連結杆の上面の高さを、受け金具の高さ分だけ加減することができ、受け金具の高さ寸法を変えることにより、任意の高さ位置関係に設定することができる。
【図面の簡単な説明】
【図１】本発明が適用された棚の全体斜視図である。
【図２】本発明を適用した横杆の部分斜視図である。
【図３】同じく、部分水平断面図である。
【図４】同じく、連結杆を結合させた状態の縦断側面図である。
【図５】連結杆の縦断正面図である。
【図６】連結杆を天地逆にして結合させた状態の縦断側面図である。
【図７】受け金具の拡大斜視図である。
【図８】受け金具を介して連結杆を天地逆に結合させた状態の縦断側面図である。
【符号の説明】
（Ａ）中間段部
（１）棚
（２）支柱
（３）端部杆材
（４）横杆
（５）連結杆
（６）ブラケット
（６ａ）フック
（７）第１の垂直基片
（８）傾斜片
（９）上片
（１０）折り返し片
（１１）中間水平片
（１２）傾斜片
（１３）第２の垂直基片
（１４）傾斜片
（１５）下片
（１６）折り返し片
（１７）係止孔（係合手段）
（１８）係止片
（１８ａ）爪
（１９）長溝
（２０）凹入段部
（２１）貫通孔
（２２）受け金具
（２３）係止片
（２３ａ）爪
（２４）長溝
（２５）ボード
【図１】
0003570217.tif 000002
【図２】
0003570217.tif 000003
【図３】
0003570217.tif 000004
【図４】
0003570217.tif 000005
【図５】
0003570217.tif 000006
【図６】
0003570217.tif 000007
【図７】
0003570217.tif 000008
【図８】
0003570217.tif 000009